(57)【要約】【課題】上面に載置された展示物と連係して、立体的な二次元映像を、印象的かつ効果的に表示することのできる展示装置を提供する。【解決手段】本発明の展示装置は、ディスプレイ２を収容する筐体（ケース１０）の上面１０ａに配設された結像光学素子（マイクロミラーアレイ１）と、この結像光学素子の下面に対して傾斜した状態で配置されたディスプレイ２と、上記筐体の上面１０ａに、展示物（Ｄ）の載置位置の目安となる展示物位置案内手段（マークＭ１）と、を備え、上記ディスプレイ２の表示面２ａに表示された映像（Ｉ）を、上記結像光学素子を介して、展示物（Ｄ）に連係する空間像Ｉ’として表示する。【選択図】図１
2014238493.tif 000002
【特許請求の範囲】
【請求項１】
ディスプレイを収容する筐体の上面に光透過状に配設された結像光学素子と、この結像光学素子の下側に、結像光学素子の下面に対してその表示面が所定角度傾斜した状態で配置されたディスプレイとを備え、上記ディスプレイの表示面に表示された映像を、上記結像光学素子を介して、上記筐体の上面の上方に、斜め状に立ち上がる空間像として結像させ、この空間像を、上記筐体の上面に載置された展示物とともに表示する展示装置であって、上記筐体の上面における結像光学素子の周囲の領域に、展示物の載置位置の目安となる展示物位置案内手段が配設されていることを特徴とする展示装置。
【請求項２】
上記展示物位置案内手段が、上記筐体の上面において、結像光学素子の上面以外の領域で、かつ、下記式（１）を満たす位置に配置されている請求項１記載の展示装置。
Ｌ  ≦  Ｘ      ・・・（１）
〔式（１）において、Ｌは、結像光学素子上面の中心と展示物位置案内手段の間の距離。Ｘは、結像光学素子上面の対角長さもしくは結像光学素子上面の最大径のうちの大きい方の値。〕
【請求項３】
上記展示物位置案内手段が、上記筐体の上面に配設された粘着性部材または吸着性部材である請求項１または２記載の展示装置。
【請求項４】
上記展示物位置案内手段が、上記筐体の上面に埋設された磁性体である請求項１または２記載の展示装置。
【請求項５】
上記結像光学素子が、コーナーリフレクタ型の単位光学素子からなるマイクロミラーアレイである請求項１〜４のいずれか一項に記載の展示装置。
【請求項６】
上記結像光学素子の下面に対する上記ディスプレイの表示面の傾斜角が、３０°以上９０°未満に設定されている請求項１〜５のいずれか一項に記載の展示装置。
【発明の詳細な説明】
【技術分野】
【０００１】
本発明は、筐体の上面に載置されたフィギュアや商品等の展示物と連係して、空間に浮かび上がる立体的な二次元映像を、効果的に表示することのできる展示装置に関するものである。
【背景技術】
【０００２】
立体像を含む画像を表示する画像表示面（液晶表示パネル等）の手前側（鑑賞者側）に、この表示面から離間して、空間に上記画像（空間像）を結像する画像伝達パネル（結像光学素子）を配置した画像表示装置が提案されている（例えば、特許文献１を参照）。
【０００３】
この画像表示装置は、上記画像表示面に平行して離間する位置に、両面にマトリクス状に互いに隣接して配列された複数の凸レンズ（単位光学素子）を備える一対のマイクロレンズアレイ（結像光学素子）が配設されており、このマイクロレンズアレイの結像作用により、上記表示面とは反対側の空間（上記結像光学素子の素子面に対して表示面とは反対側の位置）に、上記画像の正立等倍像を投影（結像）させることができる。
【０００４】
また、上記画像の正立等倍像（空間像）が結像する位置の周囲に、水を入れた水槽等の立体枠体を配設し、その結像の近傍（前後）に水生植物，岩石等を配置して、これらの間に魚のような物体（水生動的）を投影することにより、仮想的なアクアリウムを再現する例も提案されている（特許文献２を参照）。
【０００５】
しかしながら、上記画像表示装置においては、上記結像（空間像）が、マイクロレンズアレイの真正面に投影されるため、この空間像を適切に鑑賞するためには、鑑賞者とマイクロレンズアレイと画像表示面とが、一直線上に並ぶ必要があり、立体感や臨場感等が得られにくいという欠点があった。
【０００６】
これに対して、本出願人は、特願２０１２−２４９６８２および特願２０１２−２５９０４７，特願２０１２−２８３０７２等において、互いに直交する２つの鏡面（コーナーリフレクタ）を有する凹状単位光学素子または凸状単位光学素子を多数個配列した、平板状の結像光学素子（マイクロミラーアレイ，特許文献３を参照）と、ＬＣＤ等のフラットパネルディスプレイとを備える表示装置を提案している。
【０００７】
このものは、図２０に示すように、フラットパネルディスプレイ（以下、ディスプレイＤ）を、その表示面Ｄａが上記結像光学素子（マイクロミラーアレイＡ）の素子面（Ｐ）に対して所定角度α（３０°以上９０°未満）傾斜した状態で、この結像光学素子の他面側（下側）に配設する構成をとる。これにより、上記表示装置は、結像光学素子の一面側（装置上方）に、手前側（鑑賞者Ｅ側）に向かって斜め状に立ち上がる空間像（Ｉ’）を、上記結像光学素子の上面から浮かび上がった状態で、鮮明に表示することができる。なお、図２０において、符号Ｖで示す平面（二点差線の枠）は、ディスプレイＤから投影される空間像Ｉ’の表示可能範囲（すなわち、空間像Ｉ’の「仮想表示領域」）を示す。
【先行技術文献】
【特許文献】
【０００８】
【特許文献１】特開２００１−２５５４９３号公報
【特許文献２】特開２００１−２５５４９４号公報
【特許文献３】国際公開第ＷＯ２００７／１１６６３９号
【発明の概要】
【発明が解決しようとする課題】
【０００９】
ところで、上記のような三次元的な表示装置は、個人的な使用においては、ＬＣＤ，ＰＤＰ，ＥＬ等の従来のフラットパネルディスプレイにはない、強い印象を与えるものであるが、店頭等での広告展示（サイネージ），プレゼンテーション等での商業利用や、ゲーム，写真鑑賞，ジオラマ等でのプライベートな利用を想定した場合、そのインパクトやアイキャッチ力が、物足りない場面もあり得る。
【００１０】
そこで、そのインパクトやアイキャッチ力と高めるために、特に商業利用等においては、表示（立体的二次元映像）を単独で使用するよりも、この立体的二次元映像と、実際の物品（展示物や商品等）とを組み合わせて一緒に表示（展示）することが行われる。しかしながら、立体的二次元映像と物品（展示物）とを組み合わせて展示する際に、これらの位置関係が不適切であると、映像と展示物とが連係せず、映像の立体感が損なわれたり、展示の趣旨や趣向が伝わらない（理解できない）等の逆効果を生じる場合があることが分かった。
【００１１】
本発明は、このような事情に鑑みなされたもので、上面に載置された展示物と連係して、立体的な二次元映像を、印象的かつ効果的に表示することのできる展示装置の提供をその目的とする。
【課題を解決するための手段】
【００１２】
上記の目的を達成するため、本発明は、ディスプレイを収容する筐体の上面に光透過状に配設された結像光学素子と、この結像光学素子の下側に、結像光学素子の下面に対してその表示面が所定角度傾斜した状態で配置されたディスプレイとを備え、上記ディスプレイの表示面に表示された映像を、上記結像光学素子を介して、上記筐体の上面の上方に、斜め状に立ち上がる空間像として結像させ、この空間像を、上記筐体の上面に載置された展示物とともに表示する展示装置であって、上記筐体の上面における結像光学素子の周囲の領域に、展示物の載置位置の目安となる展示物位置案内手段が配設されている構成を、第１の要旨とする。
【００１３】
また、本発明は、上記構成のなかでも、特に、上記展示物位置案内手段が、上記筐体の上面において、結像光学素子の上面以外の領域で、かつ、下記式（１）を満たす位置に配置されている展示装置を、第２の要旨とする。
Ｌ  ≦  Ｘ      ・・・（１）
〔式（１）において、Ｌは、結像光学素子上面の中心と展示物位置案内手段の間の距離。Ｘは、結像光学素子上面の対角長さもしくは結像光学素子上面の最大径のうちの大きい方の値。〕
【００１４】
すなわち、本発明者は、前記課題を解決するため研究を重ね、その結果、ディスプレイの映像が結像した筐体上方の空間像と、その周囲に配置される展示物との間の距離が、ある一定距離以下の近距離であると、この展示物と空間像との間に両眼視差が生じ易く、この空間像を、より立体的に、かつ、より臨場感豊かに感じることができるようになることを見出した。しかしながら、この展示物を装置上面に載置する位置は、使用する人によって変動し易く、展示物と映像との間の距離を適切に設定（制御）することは難しい。そこで、本発明者は、装置の上面に、上記展示物と映像との間の距離を最適に保つことのできる展示物位置案内手段を設けることにより、誰もが手軽にかつ恒常的に、展示物と立体的二次元映像との連係を体感できることを見出し、本発明に到達した。
【００１５】
なお、本発明で使用するディスプレイ（表示面）および結像光学素子は、平面形状が正方形，長方形等の四角形状のものが大半であるため、その対角線の交点が、結像光学素子上面の中心（中心点）となっている。また、結像光学素子の上面形状が、円形や楕円形等の場合、その曲率中心（最大直径線と最小直径線の交点）が中心点となる。さらに、結像光学素子の上面が、他の多角形や変形形状の場合は、最大直径線と最小直径線の交点、もしくは、形状全体の面積重心を、その中心とすればよい。
【発明の効果】
【００１６】
本発明の展示装置は、ディスプレイを収容する筐体の上面に配設された結像光学素子と、この結像光学素子の下面に対して表示面が所定角度傾斜した状態で配置されたディスプレイと、を備え、上記結像光学素子の周囲の領域に、筐体の上面の上方に表示される空間像の立体感を増幅するための展示物の、好適な載置位置の目安（ガイド）となる展示物位置案内手段が配設されている。
【００１７】
この構成により、本発明の展示装置は、上記ディスプレイに表示された映像を、より立体感に富む二次元映像として、展示物と対比・連係して臨場感豊かに表示することができる。また、本発明の展示装置は、広告展示やプレゼンテーション等の商業利用において、特に、相手への説得力や訴求力等の高い展示装置とすることができる。
【００１８】
また、本発明の展示装置のなかでも、上記展示物位置案内手段が、上記筐体の上面において、この展示物位置案内手段と結像光学素子上面の中心との間の距離（Ｌ）が、結像光学素子上面の対角長さもしくは結像光学素子上面の最大径のうちの大きい方の値（Ｘ）以下となる領域（Ｌ≦Ｘ）に配置されているものは、この展示物と上記空間像との対比・連係がより密になるとともに、この展示物と空間像との間の両眼視差の増大により、空間像の立体感がより向上する。したがって、上記展示装置によれば、より浮遊感，臨場感を感じる、印象深い展示とすることができる。
【００１９】
なお、本発明の展示装置においては、上記筐体の上面に配置される展示物位置案内手段（マーカー等）の具体例として、粘着性部材または吸着性部材（請求項３）、あるいは、磁性体（請求項４）を、好適に採用することができる。
【００２０】
さらに、本発明の展示装置のなかでも、特に、上記結像光学素子が、コーナーリフレクタ型の単位光学素子からなるマイクロミラーアレイであるものは、上記空間像を、より輝度の高い鮮明な映像として表示することができるうえ、鑑賞者の視野内に装置のフレームや筐体等が入らない、理想的な光路を設定することが可能になる。これにより、上記ディスプレイに表示された映像が、より立体感に富む臨場感豊かな空間像として展示物と連係して表示され、これら空間像と展示物とを、消費者や顧客等の鑑賞者に対して効果的にアピールすることができる。
【００２１】
そして、本発明の展示装置のなかでも、上記結像光学素子の下面に対する上記ディスプレイの表示面の傾斜角が、３０°以上９０°未満に設定されているものは、上記表示される空間像（立体的二次元映像）を、より浮遊感の強い立体的な映像として表示することができる。
【図面の簡単な説明】
【００２２】
【図１】（ａ）は、本発明の第１実施形態における展示装置の構成を説明する斜視図であり、（ｂ）は、上記展示装置の平面図である。
【図２】上記第１実施形態の展示装置に展示物（Ｄ）を載置した状態を示す外観斜視図である。
【図３】本発明の第２実施形態の展示装置の外観斜視図である。
【図４】本発明の第３実施形態の展示装置の外観斜視図である。
【図５】本発明の第４実施形態の展示装置の外観斜視図である。
【図６】本発明の第５実施形態の展示装置の外観斜視図である。
【図７】本発明の第６実施形態の展示装置の外観斜視図である。
【図８】本発明の第７実施形態の展示装置の外観斜視図である。
【図９】本発明の第８実施形態の展示装置の外観斜視図である。
【図１０】上記第８実施形態の展示装置の要部の断面図である。
【図１１】上記第８実施形態の展示装置に展示物（Ｆ）を載置した状態を示す外観斜視図である。
【図１２】本発明の第９実施形態の展示装置の外観斜視図である。
【図１３】上記各展示装置に用いられるマイクロミラーアレイの構造を説明する図である。
【図１４】上記マイクロミラーアレイによる空間像の投影方式を説明する図である。
【図１５】本発明の展示装置に用いられるマイクロミラーアレイの他の構造例を説明する図である。
【図１６】上記マイクロミラーアレイの構成を説明する分解斜視図である。
【図１７】本発明の展示装置に用いられるマイクロミラーアレイの他の構造例である。
【図１８】本発明の展示装置に用いられるマイクロミラーアレイのさらに他の構造例である。
【図１９】本発明の展示装置に用いられる別の構造のマイクロミラーアレイの構成を説明する図である。
【図２０】従来の表示装置の外観斜視図である。
【発明を実施するための形態】
【００２３】
つぎに、本発明の実施の形態を、図面にもとづいて詳しく説明する。ただし、本発明は、この実施の形態に限定されるものではない。
【００２４】
図１（ａ）は、本発明の第１実施形態の展示装置の構成を説明する斜視図であり、図１（ｂ）は、上記第１実施形態の展示装置を上から見た平面図である。また、図２は、上記第１実施形態の展示装置に展示物（Ｄ）を載置した状態を示す図である。なお、図では、本発明の展示装置の要部構造のみを簡潔に説明するために、ケース，ハウジング等の筐体の一部や、配線，電装品等の一部の部品の図示を省略している。また、各図における点ｏは、略正方形の結像光学素子（マイクロミラーアレイ１）の中心（対角線の交点）であり、Ｘは上記結像光学素子の対角長さ（対角線の長さ）、Ｌは上記点ｏ（中心点）と展示物位置案内手段（マークＭ１，Ｍ２等）との距離を示す。
【００２５】
本実施形態における展示装置は、図１（ａ）に示すように、パネル状のマイクロミラーアレイ結像光学素子（以下「マイクロミラーアレイ１」または単に「アレイ１」という）と、ＬＣＤ等のフラットパネルディスプレイ（以下、ディスプレイ２）と、このディスプレイ２を上記アレイ１の下側（ケース１０の内側）で斜め傾斜状に支持するディスプレイ載置台３等を主体として構成されている。また、この展示装置は、上記マイクロミラーアレイ１に設けられた多数のマイクロミラー（コーナーリフレクタ：図１３，図１４参照）による光の反射により、アレイ１の一面（下面）に対して表示面２ａが所定角度αで傾斜した状態で配設されたディスプレイ２に表示された映像（画像Ｉ）を、このアレイ１の他面（上面１ａ）側の空間に、斜め状に立ち上がる空間像Ｉ’として、浮かび上がるように結像させるものである。
【００２６】
そして、上記展示装置は、図１（ｂ）のように、上記ケース１０の上面１０ａに、後に載置される展示物（二点鎖線で示すＤ）の載置位置の目安となる展示物位置案内手段（円形のマークＭ１，Ｍ１）が配設されており、このマークＭ１は、該マークＭ１と上記マイクロミラーアレイ１の上面１ａの中心（点ｏ）との間の距離Ｌが、アレイ上面１ａの対角長さ（対角線長さＸ）以下となる領域（Ｌ≦Ｘ）に配置されている。これが、本発明の展示装置の特徴である。
【００２７】
なお、上記マークＭ１の位置は、その上に載置される展示物（Ｄ等）がマイクロミラーアレイ１による空間像Ｉ’の結像を妨げないように、このアレイ１の上面１ａを除く領域に設定されている。また、図１（ａ）では分かり難いが、上記マイクロミラーアレイ１の上面１ａの中心（点ｏ）からの距離が「アレイ上面１ａの対角長さＸ」である点の集合体は、上記点ｏを中心とする「円」（図中では一点鎖線で描画）であり、上記展示物位置案内手段（マークＭ１等）は、この点ｏを中心とする半径Ｘの円（円ｘ）内に位置する。
【００２８】
上記展示装置の構成について、詳しく説明すると、本実施形態で使用する結像光学素子（図２０の従来例における符号Ａに相当）としては、フレネルレンズ等を含む各種レンズや、アフォーカル光学系のマイクロミラー，コーナーリフレクタ等の屈折型結像素子を用いることができる。なかでも、第１実施形態においては、図１３に示すような、素子面Ｐに対して面対称の位置に像を結ぶ、マイクロミラーアレイ１（凸型コーナーリフレクタアレイ）が好適に使用される。このマイクロミラーアレイ１は、任意の固定部材等により、鑑賞者の視点（感覚）に対して略水平になるように配設されている。
【００２９】
上記マイクロミラーアレイ１（コーナーリフレクタアレイ）について、より詳しく説明すると、このマイクロミラーアレイ１は、図１３に示すように、基板（基盤）１１の下面１ｂ側に、下向き凸状の多数の微小な四角柱状単位光学素子１２（コーナーリフレクタ）が、斜め碁盤目状に並ぶように配列されている（図１３はアレイＭを下側から見上げた図である。）。
【００３０】
上記マイクロミラーアレイ１の各四角柱状の単位光学素子１２は、コーナーリフレクタを構成する一対（２つ）の光反射面（四角柱側方の第１の側面１２ａ，第２の側面１２ｂ）が、それぞれ、「基板表面方向の横幅（幅ｗ）に対する基板厚さ方向の縦長さ（高さｈ）の比」〔アスペクト比（ｈ／ｗ）〕が１．５以上の長方形状に形成されている。
【００３１】
なお、それぞれの単位光学素子１２は、図１４のように、各コーナー１２ｃを構成する一対の光反射面（第１の側面１２ａ，第２の側面１２ｂ）が、鑑賞者の視点側（符号Ｅのある図示右側）を向くようになっており、その外縁（外辺）を鑑賞者の正面に対して４５°回転させた状態で配設されている。そして、マイクロミラーアレイ１の下側の画像Ｉが、このアレイ１（素子面Ｐ）に対して面対称の位置（結像光学素子の上方）に投影され、空間像Ｉ’が結像するようになっている。
【００３２】
また、本発明の展示装置において、画像Ｉを表示するフラットパネルディスプレイ（ディスプレイ２）は、図１（ａ），図２のように、上記マイクロミラーアレイ１の下面（１ｂ）に対して、鑑賞者の手前側（正面Ｅ側）から奥側に向かって所定の傾斜角αで下向きに傾くように配置されており、上記マイクロミラーアレイ１を介して投影される空間像Ｉ’が、鑑賞者の方向を向くようになっている。
【００３３】
なお、上記画像Ｉの表示に用いるディスプレイ２としては、バックライトを備える液晶表示パネル（ＬＣＤ）の他、プラズマディスプレイパネル，有機ＥＬ表示パネル等、全可視光波長にわたってなるべく偏りのない「白色」と、非表示時の「黒色」とを、コントラスト良く再現できるディスプレイパネルを使用することができる。さらに、ディスプレイＤは、携帯電話または携帯情報端末等の表示部であってもよく、具体的には、上記ディスプレイＤとして、スマートフォン，タブレット型ＰＣ，デジタルフォトフレームや、携帯型ゲーム機，携帯型ブックリーダー，ＰＤＡ，電子辞書等のうち、表示部２ａが常時露出する（カバーされていない）タイプのなかで、その表示面２ａの寸法が、上記マイクロミラーアレイ２の大きさ（上面１ａ形状）に対応するサイズのものを使用することができる。
【００３４】
さらに、上記ディスプレイ２の傾斜角αは、この展示装置を利用する鑑賞者の姿勢や距離等を考慮して、３０°以上９０°未満（３０°≦α＜９０°）に設定される。
【００３５】
つぎに、上記実施形態においてディスプレイ２を収容する筐体としては、図２（第１実施形態）に示す箱状のケース１０のほか、後記の図１２（第９実施形態）に示す開放形のハウジング（２０）等、上面（天板部材）上に展示物（Ｄ，Ｆ等）を載置するスペースがあるものであれば、どのような形状のものでも使用することができる。
【００３６】
上記第１実施形態の筐体（ケース１０）について詳しく説明すると、このケース１０は、図１（ａ）のように、上面（天板部材）１０ａおよび底面（底板部材）１０ｂと、側面を囲う４つの側面部材とからなり、その内部には、上記ディスプレイ２をマイクロミラーアレイ１に対して所定角度αで傾く傾斜状に載置するための載置面を有する載置台３が配置されている。
【００３７】
また、その上面１０ａには、略中央部分に設けられた開口に、上記マイクロミラーアレイ１が光透過状に嵌め入れられており、このケース上面１０ａにおけるアレイ上面１ａの周囲（図１では鑑賞者Ｅ側）には、本発明の特徴である、２つのマークＭ１，Ｍ１が配設されている。これらマークＭ１，Ｍ１は、上記上面１０ａの表面に、貼り付けまたは印刷等により描かれているもので、先にも述べたように、上記マイクロミラーアレイ１の上面１ａの中心点（点ｏ）を中心とする半径Ｘ（アレイ上面１ａの対角長さ）の円内に配置されている〔ただし、アレイ１の真上（上面１ａ上）を除く。〕
【００３８】
上記構成のような展示装置において、上記マークＭ１の位置案内（ガイド）機能を利用して、このマークＭ１の上に展示物Ｄを載置した場合、図２のように、当初の設計通りの適切な位置に、展示物Ｄを配置することができる。そして、この状態で、マークＭ１上に配置された展示物Ｄの近傍（アレイ上面１ａの上方）に、この展示物Ｄと関連する映像を投影することにより、上記展示物Ｄと連係する空間像Ｉ’を、より立体的に、かつ、より臨場感豊かに表示することができる。また、これにより、上記展示物Ｄおよび空間像Ｉ’の連係した展示を、より浮遊感，臨場感を感じる、印象深いものとすることができる。
【００３９】
なお、上記第１実施形態では、ケース上面１０ａの鑑賞者Ｅ側のマークＭ１，Ｍ１上に、２つの展示物（Ｄ，Ｄ）を載置する例を示したが、これらケース上面１０ａに載置する展示物の数や、円ｘ内における位置等は、空間像Ｉ’の表示の邪魔にならない範囲で、自由に設定できる。例えば、図３に示す第２実施形態のように、上記空間像Ｉ’を前後左右から囲うように、展示物Ｄ１〜Ｄ６を配置してもよい（各マークＭの符号省略）。
【００４０】
また、上記各展示物の載置位置の目安となる展示物位置案内手段（図１，図２においては円状のシール，マークＭ１）も、載置する展示物に対応して、他の形状や構造等とすることもできる。例えば、図４に示す第３実施形態のように、上記ケース上面１０ａに配設される展示物位置案内手段を、十字状のマークＭ２としてもよく、他の多角形状や楕円形状等の印としてもよい。さらに、上記ケース上面１０ａに、模様や塗装、あるいは、表面形状加工等がなされている場合は、図５に示す第４実施形態のように、上記展示物位置案内手段の部位に、模様や塗装あるいは表面形状加工等を施さない（いわゆる「白抜き」）部位を形成することにより、この部位をマークＭ３とすることもできる。
【００４１】
さらに、上記ケース上面１０ａの所定位置に、シールや、模様，塗装，表面形状加工等で展示物位置案内手段を設けることに代えて、図６に示す第５実施形態のように、粘着性部材または吸着性部材（吸着テープ）等を貼り付けることにより、マークＭ４を形成してもよい。これにより、展示物を載置した後も、この展示物の位置ずれや転倒等を防止することができる。
【００４２】
上記第１〜第５の各実施形態における展示装置は、展示物の位置決めを、上記展示物位置案内手段（各マーク）に合わせ、その都度、手動（人手）で行わねばならないという手間が生じていたが、つぎに、展示物を展示物位置案内手段に近づけるだけで、自然に手間なく、この展示物を適切な位置に載置することのできる実施形態について説明する。
【００４３】
図７は、本発明の第６実施形態の展示装置の外観斜視図であり、図８は、本発明の第７実施形態の展示装置の外観斜視図である。なお、ケース上面１０ａに配設される各展示物位置案内手段以外の構成は、前記第１〜第５実施形態と同様であるため、その詳細な説明を省略する。
【００４４】
図７および図８に示す展示装置は、ケース上面１０ａに載置する展示物の底面に、凹部や凸部等の、展示物を特定し取り付けに用いることのできる形状が設けられている場合にこれを利用するものであり、例えば、展示物の底面に凹部が設けられている場合、図７（第６実施形態）のように、上記所定の位置に、展示物の凹部に係合（嵌合）する凸部（マークＭ５）を設ける。また、展示物の底面に凸部が設けられている場合、図８（第７実施形態）のように、上記所定の位置に、展示物の凹部に係合する凸部（マークＭ６）を設けることにより、これら凹部と凸部（または凸部と凹部）を嵌め合わせるだけで、展示物が自然に適切な位置に位置決めされる。なお、これら各マークＭ５，Ｍ６は、上記マイクロミラーアレイ１の上面１ａの中心（点ｏ）との間の距離Ｌが、アレイ上面１ａの対角長さ（対角線長さＸ）以下となる領域（Ｌ≦Ｘ、すなわち、点ｏを中心とする半径Ｘの円内）に設けられていることは勿論である。また、上記展示物位置案内手段（凸部：マークＭ５，凹部：マークＭ６等）の形状も、円状や楕円状あるいは多角形状等、どのような形状でもよい。ただし、断面形状は、上記例の台形（円錐台形）や半円（半球状）等、側面（壁面）が斜面になっており、展示物の自重によりその嵌め合わせ最終位置が自動的に決まる形状が好ましい。
【００４５】
また、図９〜図１１に示す第８実施形態の展示装置は、ケース上面１０ａに載置する展示物（Ｆ）の底面等に、磁性を有する部材（鉄系の金属部品等）が取り付けまたは内蔵されている場合にこれを利用するものであり、ケース１０の上面１０ａの所定位置に、磁石（マグネットＭ７）等の磁性体が埋め込まれている。なお、このマグネットＭ７は、上面１０ａの表面（上側）から見えるように配置してもよいし、見えないように表面下に埋設してもよい。見えないように埋設した場合、前記シールや塗装等によるマークＭ１〜Ｍ３を併用する場合もある。また、上記各実施形態と同様、マグネットＭ７は、上記表面から見える見えないに関わらず、上記マイクロミラーアレイ１の上面１ａの中心（点ｏ）との間の距離Ｌが、アレイ上面１ａの対角長さ（対角線長さＸ）以下となる領域（Ｌ≦Ｘ、すなわち、点ｏを中心とする半径Ｘの円内）に配置されている。
【００４６】
上記第８実施形態（図９）の展示装置において、上記マグネットＭ７の位置案内（ガイド）機能を利用して、このマグネットＭ７の上（近傍）にフィギュアＦを近づけると、図１０のように、このフィギュアＦが備える鉄製部品Ｆａが、上記マグネットＭ７にその磁力により引き寄せられ、図１１に示すように、空間像Ｉ’と連係する、設計通りの適切な位置に、フィギュアＦが自然と位置決めされる。そして、この状態で、上記マグネットＭ７上に配置されたフィギュアＦの近傍（アレイ上面１ａの上方）に、このフィギュアＦと関連する映像を投影することにより、上記展示物（フィギュアＦ）と連係する空間像Ｉ’を、より立体的に、かつ、より臨場感豊かに表示することができる。また、これにより、上記展示物および空間像Ｉ’の展示が、より浮遊感，臨場感を感じる、印象深いものとなり、これら空間像と展示物とを、消費者や顧客等の鑑賞者に対して効果的にアピールすることができる。
【００４７】
つぎに、上記ディスプレイ２を収容する筐体（ケースまたはハウジング２０等）の上面（２０ａ）が、斜め状に形成されている展示装置（第９実施形態）について説明する。図１２は、本発明の第９実施形態の展示装置の構成を示す斜視図である。なお、前記各実施形態と同様の機能を有する構成部材には同じ符号を付して、その詳細な説明を省略する。
【００４８】
この第９実施形態の展示装置には、図１２に示すように、天板部２０ａ（上面），底板部２０ｂ，側板部（垂直方向）２０ｃと、傾斜状の側部（傾斜板部２０ｄ）とからなる、ディスプレイ横方向（ディスプレイ挿入方向）の側面（側部）がないハウジング２０が使用されている。このハウジング２０の上面（天板部２０ａ）に設けられた開口には、他の実施形態と同様の結像光学素子（マイクロミラーアレイ１）が配設されており、その下側に位置する傾斜板部２０ｄの上面（内側面）が、ＬＣＤ等のディスプレイ２を載置する載置台（ディスプレイ載置面）に形成されている。
【００４９】
また、このハウジング２０は、その天板部２０ａの上面が、鑑賞者（Ｅ側）にとって手前側の装置前側（図示右側）から、奥側の装置後側（図示左側）に向かって傾斜する「上り傾斜面」に形成されている。すなわち、上記マイクロミラーアレイ１が嵌め入れられた天板部２０ａは、空間像Ｉ’の傾斜と同じ傾斜方向（鑑賞者のいるＥ側）に向かって、装置の水平面（鑑賞者の感覚的水平面）に対して所定角度βで上り傾斜する傾斜面になっている。
【００５０】
さらに、ディスプレイ載置台（傾斜板部２０ｄ）上のディスプレイ２の表示面２ａは、上記マイクロミラーアレイ１の素子面（またはその下面）に対して所定角度αで傾いた状態で配置されるようになっており、ディスプレイ２上の画像（Ｉ）は、アレイ１の素子面に対して面対称の位置に、空間像Ｉ’として結像するようになっている。なお、上記ディスプレイ表示面２ａの、ハウジング２０の底面（底板部２０ｂ）に対する傾斜角は、（α−β）である。
【００５１】
そして、上記ハウジング２０の上面（天板部２０ａ）の、水平に対する傾斜角βは、通常、１°以上６０°以下（この例では１５°）に設定されており、上記ディスプレイ表示面２ａの、マイクロミラーアレイ１に対する傾斜角α（３０°以上９０°未満）の角度以下になっている。すなわち、これら傾斜角βと傾斜角αとの間には、
０  ＜  β  ≦  α    （ただし、１°≦β≦６０°，３０°≦α＜９０°）
の関係が成り立つようになっている。
【００５２】
上記のような、上面が傾斜面になっている展示装置によれば、ケースやハウジング等の上面の傾き方向によって、空間像Ｉ’（上記展示物に連係する空間像）の鑑賞に適した「装置正面」（手前側）を、誰もが簡単に見つけ出すことができる。そのため、空間像Ｉ’に最も立体感等を感じる、鑑賞に最適な方向・位置を、意識せず簡単に見つけ出すことが可能である。しかも、その鑑賞方向と位置は、上記展示装置において、空間像Ｉ’の浮遊感や臨場感等を、最も強く感じることができる位置になっている。
【００５３】
さらに、この展示装置の構成によれば、斜め状に立ち上がる空間像Ｉ’と、その背面に位置するケース，ハウジング等の上面との間に、空間像Ｉ’の奥行き，浮遊感や臨場感等をより強調する両眼視差が生じ易い。そのため、空間像Ｉ’（映像や画像等）のコントラストや鮮明さが強くなるとともに、この空間像Ｉ’をより遠くから視認することが可能になる。上記ハウジングやケース等の上面を、鑑賞者に向かって上り傾斜面とする構成は、他の実施形態に適用してもよいことは勿論である。
【００５４】
なお、上記各実施形態の展示装置に用いる、パネル状の結像光学素子（Ａ）としては、上記構造のマイクロミラーアレイ１の他にも、平板状の透明基板の表面に、回転刃を用いたダイシング加工により、互いに平行な複数本の直線状溝が所定の間隔で形成された２枚または１枚の光学素子（マイクロミラーアレイＢ１，Ｂ２，Ｂ３，Ｂ４、図１５〜図１９参照）を使用することもできる。
【００５５】
これらのマイクロミラーアレイＢ１，Ｂ２，Ｂ３，Ｂ４は、表面に複数本の平行溝が設けられた２枚の光学素子（基板）の一方を９０°回転させた状態で重ね合わせる（図１５，１６および図１７，図１８）か、あるいは、１枚の平板状基板の表裏面それぞれに、平面視互いに直交する複数本の平行溝が形成されている（図１９）ことにより、基板表裏方向（上下方向）から見た場合、一方の平行溝グループと他方の平行溝グループとが平面視直交する交差箇所（格子の交点）に、それぞれ、一方の平行溝グループの光反射性の垂直面（壁面）と他方の平行溝グループの光反射性の垂直面（壁面）とからなるコーナーリフレクタが形成されるようになっている。
【００５６】
また、上記コーナーリフレクタを構成する、上記一方の基板の平行溝グループの光反射性の壁面と他方の基板の平行溝グループの光反射性の壁面とは、立体的（三次元的）に見た場合、いわゆる「ねじれの位置」関係にある。また、上記各平行溝およびその光反射性の壁面が、回転刃を用いたダイシング加工により形成されているため、上記コーナーリフレクタにおける光反射面のアスペクト比〔高さ（基板厚さ方向の長さ）／幅（基板水平方向の幅）の比〕を高くする等、光学素子の光学性能の調整を、比較的簡単に行うことができるという点で有利である。
【００５７】
上記各マイクロミラーアレイの構造を、個別により詳しく説明すると、図１５，図１６に示すマイクロミラーアレイＢ１は、これを構成する各光学素子（２１，２１’）が、透明な平板状の基板２１，２１’の上側の表面２１ａ，２１’ａに、回転刃を用いたダイシング加工により、互いに平行な直線状の溝２１ｇまたは溝２１’ｇが、所定の間隔で複数本形成されている。
【００５８】
そして、上記マイクロミラーアレイＢ１は、これら同じ形状の２枚の光学素子（基板２１，２１’）を用いて、図１６のように、上側の一方の基板２１’を表裏反転させ、この基板２１’を下側の他方の基板２１に対して（平面上で）９０°回転させた状態で、上側の基板２１’における溝２１’ｇが形成された表面２１’ａを、下側の基板２１における溝２１ｇが形成された表面２１ａに当接させ、これら基板２１，２１’どうしを上下に重ね合わせて固定することにより、各基板２１，２１’上に設けられた各溝２１ｇと溝２１’ｇの連続方向が平面視互いに直交する一組のアレイＭ１（図１５）として構成されている。
【００５９】
同様に、図１７に示すマイクロミラーアレイＢ２は、各基板２１，２１’上に設けられた各溝２１ｇと溝２１’ｇの連続方向が平面視互いに直交するように、上側の一方の基板２１’を下側の他方の基板２１に対して回転（水平面上で９０°）させた状態で、下側の基板２１における溝２１ｇが形成された表面２１ａに、上側の基板２１’の裏面（溝２１’ｇが形成されていない）を当接させ、これら基板２１，２１’どうしを上下に重ね合わせて固定することにより、一組のアレイＢ２として構成されている。
【００６０】
さらに、図１８に示すマイクロミラーアレイＢ３は、上記と同じ形状・製法の２枚の光学素子（基板２１，２１’）を用いて、下側の一方の基板２１’を表裏反転させ、この基板２１’を上側の他方の基板２１に対して（水平に）９０°回転させた状態で、上側の基板２１の裏面と下側の基板２１’の裏面とを突き合わせ、これら基板２１，２１’どうしを上下に重ね合わせて固定することにより、各基板２１，２１’上に設けられた各溝２１ｇと溝２１’ｇの連続方向が平面視互いに直交する一組のアレイＢ３として構成されている。
【００６１】
そして、図１９に示すマイクロミラーアレイＢ４は、透明な平板状の基板３１の上側の表面３１ａおよび下側の裏面３１ｂに、それぞれ、回転刃を用いたダイシング加工により、互いに平行な直線状の溝３１ｇおよび溝３１ｇ’が、所定の間隔で複数本形成されており、これら表面３１ａ側の各溝３１ｇと裏面３１ｂ側の各溝３１ｇ’とは、その形成方向（連続方向）が平面視互いに直交するように形成されている。
【００６２】
上記各マイクロミラーアレイＢ１，Ｂ２，Ｂ３，Ｂ４を用いた展示装置によっても、前記マイクロミラーアレイ１を用いた展示装置と同様、ディスプレイＤに表示された平面的な二次元画像Ｉ（映像等）を、奥行き感を持った擬似的な立体像（立体的二次元画像、空間像Ｉ’）として表示（投影）することができる。しかも、上記展示装置は、その使用するマイクロミラーアレイ（Ｂ１，Ｂ２，Ｂ３，Ｂ４）が安価なため、装置全体のコストを低減できるという利点がある。
【００６３】
なお、上記各実施形態において筐体（ケース１０，ハウジング２０等）の上面に配置された展示物としては、モデル的に直方体（柱状）の物や、フィギュア等を例示したが、使用する展示物としては、樹脂，金属，陶器や紙等からなる、手に取ることのできる立体物、例えば、一般的な商品（小物）の他に、マスコット等のキャラクター商品や、乗り物，建物，動植物，天体等の模型等を用いることができる。
【産業上の利用可能性】
【００６４】
本発明の展示装置は、製品や商品等の立体物の周りに、関連する動画を投影するのに適しており、ジオラマや、プラスチック・モデル，ソリッドモデル，ガレージキット，ペーパーモデル等、あるいは、ミニカー，食玩，フィギュア等の展示・陳列用途に好適である。また、キャラクターや商品模型等を用いた商業利用の他、立体モデルだけでは表現し難い化学物質の構造の映像化等、学術・教育分野でも利用することができる。
【符号の説明】
【００６５】
１  マイクロミラーアレイ
２  ディスプレイ
２ａ  表示面
１０  ケース
１０ａ  上面
Ｄ，Ｆ  展示物
Ｍ１  マーク
Ｉ’  空間像
ｏ  結像光学素子上面の中心
Ｘ  結像光学素子上面の対角長さ
Ｌ  結像光学素子上面の中心と展示物位置案内手段の間の距離
【図１】
2014238493.tif 000003
【図２】
2014238493.tif 000004
【図３】
2014238493.tif 000005
【図４】
2014238493.tif 000006
【図５】
2014238493.tif 000007
【図６】
2014238493.tif 000008
【図７】
2014238493.tif 000009
【図８】
2014238493.tif 000010
【図９】
2014238493.tif 000011
【図１０】
2014238493.tif 000012
【図１１】
2014238493.tif 000013
【図１２】
2014238493.tif 000014
【図１３】
2014238493.tif 000015
【図１４】
2014238493.tif 000016
【図１５】
2014238493.tif 000017
【図１６】
2014238493.tif 000018
【図１７】
2014238493.tif 000019
【図１８】
2014238493.tif 000020
【図１９】
2014238493.tif 000021
【図２０】
2014238493.tif 000022